(57)【要約】      （修正有）【課題】携帯型情報端末の通信機能を利用したカラオケ配信システムを提供する。【解決手段】サーバー機１２、携帯型情報端末１４、音源等再生機１６、スピーカー２０、動画表示モニター２２及びカラオケ背景動画の動画データを格納した動画データ記憶手段１８とを有し、サーバー機１２は、楽曲データベースを備え、携帯型情報端末１４は、ネットワークを介してサーバー機１２とデータ送受信可能なネットワーク通信部と、有線通信手段を介して音源等再生機１６とデータ送受信可能な有線通信部と、ＭＩＤＩデータ及び動画データに基づき、カラオケデータを作成するカラオケデータ作成部とを備える。【選択図】図１
2012150393.tif 000002
【特許請求の範囲】
【請求項１】
少なくともサーバー機、携帯型情報端末、音源等再生機、スピーカー、映像表示モニター及びカラオケ背景動画の動画データを格納した動画データ記憶手段とを有し、
前記サーバー機は、カラオケ楽曲のＭＩＤＩデータと当該ＭＩＤＩデータの識別コードとを対応付けて格納した楽曲データベースを備え、
前記携帯型情報端末は、ネットワークを介して前記サーバー機とデータ送受信可能なネットワーク通信部と、有線通信手段を介して前記音源等再生機とデータ送受信可能な有線通信部と、前記ＭＩＤＩデータ及び前記動画データに基づき、カラオケデータを作成するカラオケデータ作成部とを備え、
前記音源等再生機は、データ通信手段を介して前記動画データ記憶手段からデータ受信可能な動画データ処理部と、前記カラオケデータに基づいて、音声信号及び動画信号を生成する信号生成部とを備え、
前記ネットワーク通信部は、前記識別コードを含むデータを前記サーバー機に送信し、
前記サーバー機は、前記ネットワーク通信部から送信されてきた前記識別コードに対応付けられた前記ＭＩＤＩデータを前記ネットワーク通信部へ送信し、
前記有線通信部は、前記識別コードを含むデータを前記音源等再生機に送信し、
前記動画データ処理部は、前記有線通信部から送られてきたＭＩＤＩデータの識別コードに基づいて、前記動画データ記憶手段から対応するカラオケ背景動画の動画データを受信するとともに、当該動画データを前記有線通信部へ送信し、
前記携帯型情報端末は、カラオケデータ作成部に前記ネットワーク通信部に送信されてきた前記ＭＩＤＩデータ及び前記有線通信部に送信されてきた前記動画データに基づいてカラオケデータを作成させるとともに、当該カラオケデータを有線通信部に前記音源等再生機へと送信させ、
前記音源等再生機は、前記信号生成部に前記カラオケデータに基づく音声信号を生成させるとともに前記スピーカーに当該音声信号を伝送させ、且つ、前記カラオケデータに基づく映像信号を生成させるとともに前記映像表示モニターへ当該映像信号を伝送させ、
前記スピーカーは、伝送された前記音声信号に基づく音声を出力し、
前記映像表示モニターは、伝送された前記映像信号に基づく映像を表示すること
を特徴としたカラオケ配信システム。
【請求項２】
少なくともサーバー機、携帯型情報端末、音源等処理機、スピーカー、映像表示モニター及びカラオケ背景動画の動画データを格納した動画データ記憶手段とを有し、
前記サーバー機は、カラオケ楽曲のＭＩＤＩデータと当該ＭＩＤＩデータの識別コードとを対応付けて格納した楽曲データベースを備え、
前記携帯型情報端末は、ネットワークを介して前記サーバー機とデータ送受信可能なネットワーク通信部と、有線通信手段を介して前記音源等処理機とデータ送受信可能な有線通信部と、前記ＭＩＤＩデータ及び前記動画データに基づき、カラオケデータを作成するカラオケデータ作成部と、前記カラオケデータに基づいて、音声信号及び動画信号を生成する信号生成部とを備え、
前記音源等処理機は、データ通信手段を介して前記動画データ記憶手段からデータ受信可能な動画データ処理部を備え、  
前記ネットワーク通信部は、前記識別コードを含むデータを前記サーバー機に送信し、
前記サーバー機は、前記ネットワーク通信部から送信されてきた前記識別コードに対応付けられた前記ＭＩＤＩデータを前記ネットワーク通信部へ送信し、
前記有線通信部は、前記識別コードを含むデータを前記音源等処理機に送信し、
前記動画データ処理部は、前記有線通信部から送られてきたＭＩＤＩデータの識別コードに基づいて、前記動画データ記憶手段から対応するカラオケ背景動画の動画データを受信するとともに、当該動画データを前記有線通信部へ送信し、
前記携帯型情報端末は、カラオケデータ作成部に前記ネットワーク通信部に送信されてきた前記ＭＩＤＩデータ及び前記有線通信部に送信されてきた前記動画データに基づいてカラオケデータを作成させ、さらに、前記信号生成部に前記カラオケデータに基づく音声信号を生成させるとともに前記有線通信部に前記音源等処理機に当該音声信号を送信させ、且つ、前記カラオケデータに基づく映像信号を生成させるとともに前記有線通信部に前記音源等処理機へ当該映像信号を送信させ、
前記音源等処理機は、伝送された前記音声信号を前記スピーカーに伝送し、且つ、伝送された前記映像信号を前記映像表示モニターに伝送し、
前記スピーカーは、伝送された前記音声信号に基づく音声を出力し、
前記映像表示モニターは、伝送された前記映像信号に基づく映像を表示すること
を特徴としたカラオケ配信システム。
【発明の詳細な説明】
【技術分野】
【０００１】
本発明は、携帯型情報端末（例えば、携帯電話機など）を利用するカラオケ配信システム、詳しくは、携帯型情報端末の情報通信機能を用いて手軽に利用でき、且つ、それであっても高品質なカラオケを提供することが可能なカラオケ配信システムに関するものである。
【背景技術】
【０００２】
従来におけるカラオケの楽曲要求は、例えば、楽曲のタイトルや歌手名などをキーワードにして検索することができるカラオケ楽曲一覧本の中から、所望の楽曲を選び、その楽曲に付された識別コードをリモコンに入力し、カラオケ装置本体へ情報送信することにより行われている。
【０００３】
その他、最近では、カラオケルームに置かれている、タッチパネル形式の端末を用いて、所望の楽曲のタイトルや歌手名をタッチし、それにより、カラオケ装置本体へ楽曲情報を送信することによってカラオケ楽曲の要求を行うことも多くなってきている。
【０００４】
しかしながら、カラオケ楽曲一覧本の中から、所望の楽曲を選ぶ作業は、意外と大変であり、特に大人数でカラオケに興じる場面などでは、かなりの時間の無駄が生じてしまっている。また、タッチパネル形式の端末を利用する場合は、その端末数が限られていることから、やはり大人数の時は、各人の選曲待ちの時間が無駄な時間へと繋がってしまっている。
【０００５】
そこで、このような問題を解決するために、例えば特許文献１には、昨今の携帯型情報端末の機能を利用したカラオケ配信システムが開示されている。この技術によれば、サーバー機と携帯電話機とは、携帯電話通信網を介して接続されるので、従来型の通信カラオケのようにネットワークへの固定的な接続環境に依存することなく、移動環境下であっても携帯電話による通信が可能なエリアにあれば、最新のコンテンツを揃えた通信カラオケを楽しむことができるとされている。
【先行技術文献】
【特許文献】
【０００６】
【特許文献１】特開２０１０−１８６０８１公報
【発明の概要】
【発明が解決しようとする課題】
【０００７】
しかしながら、上記特許文献１に記載のカラオケ通信システムにおいては、カラオケ楽曲のＭＩＤＩデータとともに、カラオケ楽曲に対応するカラオケ背景動画データについても携帯電話通信網を用いて、サーバー機から受信しなくてはならず、通信費用が膨大なものとなりかねなかった。また、例え、通信データ料金定額の契約をしていたとしても、現在の携帯電話通信の速度では、大容量の動画データを受信することは、現実的ではないと指摘されていた。
【０００８】
本発明は、上述の問題を解決するためのもので、従来から用いられている情報型端末のメリットを生かしつつ、携帯電話通信のみではカバーできない大容量データの受信は、有線通信により行うことで、より手軽に利用することができるカラオケ配信システムを提供することを目的とするものである。
【課題を解決するための手段】
【０００９】
上述の課題に対応するため、本発明は、以下の技術的手段を講じている。
即ち、請求項１記載の発明は、少なくともサーバー機、携帯型情報端末、音源等再生機、スピーカー、動画表示モニター及びカラオケ背景動画の動画データを格納した動画データ記憶手段とを有し、前記サーバー機は、カラオケ楽曲のＭＩＤＩデータと当該ＭＩＤＩデータの識別コードとを対応付けて格納した楽曲データベースを備え、前記携帯型情報端末は、ネットワークを介して前記サーバー機とデータ送受信可能なネットワーク通信部と、有線通信手段を介して前記音源等再生機とデータ送受信可能な有線通信部と、前記ＭＩＤＩデータ及び前記動画データに基づき、カラオケデータを作成するカラオケデータ作成部とを備え、前記音源等再生機は、データ通信手段を介して前記動画データ記憶手段からデータ受信可能な動画データ処理部と、前記カラオケデータに基づいて、音声信号及び動画信号を生成する信号生成部とを備え、前記ネットワーク通信部は、前記識別コードを含むデータを前記サーバー機に送信し、前記サーバー機は、前記ネットワーク通信部から送信されてきた前記識別コードに対応付けられた前記ＭＩＤＩデータを前記ネットワーク通信部へ送信し、前記有線通信部は、前記識別コードを含むデータを前記音源等再生機に送信し、前記動画データ処理部は、前記有線通信部から送られてきたＭＩＤＩデータの識別コードに基づいて、前記動画データ記憶手段から対応するカラオケ背景動画の動画データを受信するとともに、当該動画データを前記有線通信部へ送信し、前記携帯型情報端末は、カラオケデータ作成部に前記ネットワーク通信部に送信されてきた前記ＭＩＤＩデータ及び前記有線通信部に送信されてきた前記動画データに基づいてカラオケデータを作成させるとともに、当該カラオケデータを有線通信部に前記音源等再生機へと送信させ、前記音源等再生機は、前記信号生成部に前記カラオケデータに基づく音声信号を生成させるとともに前記スピーカーに当該音声信号を伝送させ、且つ、前記カラオケデータに基づく映像信号を生成させるとともに前記映像表示モニターへ当該映像信号を伝送させ、前記スピーカーは、伝送された前記音声信号に基づく音声を出力し、前記映像表示モニターは、伝送された前記映像信号に基づく動画を表示することを特徴としたカラオケ配信システムである。
【００１０】
また、請求項２記載の発明は、少なくともサーバー機、携帯型情報端末、音源等処理機、スピーカー、映像表示モニター及びカラオケ背景動画の動画データを格納した動画データ記憶手段とを有し、前記サーバー機は、カラオケ楽曲のＭＩＤＩデータと当該ＭＩＤＩデータの識別コードとを対応付けて格納した楽曲データベースを備え、前記携帯型情報端末は、ネットワークを介して前記サーバー機とデータ送受信可能なネットワーク通信部と、有線通信手段を介して前記音源等処理機とデータ送受信可能な有線通信部と、前記ＭＩＤＩデータ及び前記動画データに基づき、カラオケデータを作成するカラオケデータ作成部と、前記カラオケデータに基づいて、音声信号及び動画信号を生成する信号生成部とを備え、前記音源等処理機は、データ通信手段を介して前記動画データ記憶手段からデータ受信可能な動画データ処理部を備え、前記ネットワーク通信部は、前記識別コードを含むデータを前記サーバー機に送信し、前記サーバー機は、前記ネットワーク通信部から送信されてきた前記識別コードに対応付けられた前記ＭＩＤＩデータを前記ネットワーク通信部へ送信し、前記有線通信部は、前記識別コードを含むデータを前記音源等処理機に送信し、前記動画データ処理部は、前記有線通信部から送られてきたＭＩＤＩデータの識別コードに基づいて、前記動画データ記憶手段から対応するカラオケ背景動画の動画データを受信するとともに、当該動画データを前記有線通信部へ送信し、前記携帯型情報端末は、カラオケデータ作成部に前記ネットワーク通信部に送信されてきた前記ＭＩＤＩデータ及び前記有線通信部に送信されてきた前記動画データに基づいてカラオケデータを作成させ、さらに、前記信号生成部に前記カラオケデータに基づく音声信号を生成させるとともに前記有線通信部に前記音源等処理機に当該音声信号を送信させ、且つ、前記カラオケデータに基づく映像信号を生成させるとともに前記有線通信部に前記音源等処理機へ当該映像信号を送信させ、前記音源等処理機は、伝送された前記音声信号を前記スピーカーに伝送し、且つ、伝送された前記映像信号を前記映像表示モニターに伝送し、前記スピーカーは、伝送された前記音声信号に基づく音声を出力し、前記映像表示モニターは、伝送された前記映像信号に基づく映像を表示することを特徴としたカラオケ配信システムである。
【発明の効果】
【００１１】
本発明によれば、ネットワーク通信によってやりとりされるデータは、カラオケ楽曲に係るＭＩＤＩデータ及び識別コードであるため、通信に係る情報自体がコンパクトで、通信に要する時間や費用が抑えられる。また同様に、大容量のデータであるカラオケ背景動画の動画データを、携帯型情報端末のネットワーク通信を利用せずに処理可能としているため、通信に要する時間や費用が抑えられる。そして、ユーザーにとって、カラオケをより手軽に利用することが可能となる。
【図面の簡単な説明】
【００１２】
【図１】本発明に係るカラオケ配信システムの第１の実施形態を示した概念図である。
【図２】本発明に係るカラオケ配信システムの第１の実施形態において用いられるサーバー機の構成の一例を示したブロック図である。
【図３】本発明に係るカラオケ配信システムの第１の実施形態において用いられる携帯型情報端末の構成の一例を示したブロック図である。
【図４】本発明に係るカラオケ配信システムの第１の実施形態において用いられる音源等再生機の構成の一例を示したブロック図である。
【図５】本発明に係るカラオケ配信システムの第２の実施形態を示した概念図である。
【図６】本発明に係るカラオケ配信システムの第２の実施形態において用いられる携帯型情報端末の構成の一例を示したブロック図である。
【図７】本発明に係るカラオケ配信システムの第２の実施形態において用いられる音源等処理機の構成の一例を示したブロック図である。
【図８】本発明に係るカラオケ配信システムの第３の実施形態において用いられるサーバー機の構成の一例を示したブロック図である。
【図９】本発明に係るカラオケ配信システムの第３の実施形態において用いられる携帯型情報端末の構成の一例を示したブロック図である。
【図１０】本発明に係るカラオケ配信システムに用いられるモニターを自動車の車内に搭載する車載モニターに代用させた状態の一例を示した概念図である。
【発明を実施するための形態】
【００１３】
以下、本発明に係るカラオケ配信システムの第１の実施形態について、図面を参照しながら説明する。
図１は、本発明に係るカラオケ配信システムの第１の実施形態を示したもので、１０はカラオケ配信システム、１２はサーバー機、１４は携帯型情報端末、１６は音源等再生機、１８は動画データメモリ、２０はスピーカー、２２はモニター、２４はマイクを表している。
【００１４】
また、サーバー機１２は、図２に示すように、楽曲データベース３０を備えており、この楽曲データベース３０には、カラオケ楽曲のＭＩＤＩデータと、ＭＩＤＩデータに対応付けられた識別コードが格納されている。そして、ネットワークと通信部にて接続されており、携帯型情報端末１４とネットワークを介してデータ送受信が可能となっている。
【００１５】
次に、携帯型情報端末１４は、図３に示すように、ネットワークに接続可能なネットワーク通信部４０と、有線通信（例えば、ＵＳＢによる）を介して音源等再生機１６とデータ送受信することができる有線通信部４２が備えられている。なお、ネットワーク通信部４０は、図示しない基地局・交換機等から構成される携帯電話通信網や、インターネット等の電気通信ネットワークを通じて、サーバー機１２との間でデータの送受信が可能となっている。
【００１６】
さらに、携帯型情報端末１４は、動画データとＭＩＤＩデータに基づいてカラオケデータを作成するカラオケデータ作成部４４が備えられており、このカラオケデータ作成部４４は、サーバー機１２からネットワークを通じてダウンロードしたＭＩＤＩデータと、音源等再生機１６から有線通信部４２を通じて取得した、後に説明する動画データメモリ１８に格納されている動画データに基づいて、カラオケデータを作成する。なお、カラオケデータとは、カラオケの音楽と、テロップ（歌詞情報）及び動画を同期させたものを意味し、このカラオケデータを一般的なカラオケ装置に送信することによって、ユーザーがカラオケに興じることができる。また、携帯型情報端末１４内に作成した各カラオケデータを記録させる記録手段を設けることにより、携帯型情報端末１４において、当該各カラオケデータに基づく動画及び音声を再生させるようにすることも可能である。
【００１７】
続いて、音源等再生機１６は、図４に示すように、カラオケデータに基づいて、音声信号及び映像信号を生成する信号生成部５０が備えられており、この信号生成部５０は、組み込まれている音源ボード及びグラフィックボードによって、カラオケデータに基づいて、音声信号及び動画信号を生成する。
【００１８】
そして、動画メモリ１８は、図４に示すように、音源等再生機１６に接続可能となっており、内部にカラオケ背景動画の動画データが格納されている。この動画メモリ１８は、例えば、ＭｉｃｒｏＳＤＨＣ（登録商標）などを用いることで、容易に持ち運びが可能となり、さらに大容量の動画データを格納することもできる。
【００１９】
なお、音源等再生機１６内の動画データ処理部５２は、携帯型情報端末１４から送信されてきたＭＩＤＩデータの識別コードを元に、動画メモリ１８に格納されている対象の動画データを取得し、有線通信部４２を通じて携帯型情報端末１４へと当該動画データを返送することができるような仕組みになっている。
【００２０】
続いて、スピーカー２０は、例えば、ＡＶケーブルによって音源等再生機１６に接続されており、信号生成部５０によって作成され、音源等再生機１６から伝送されてきた音声信号に従い、対象のカラオケ楽曲を音声出力することができるようになっており、また、モニター２２は、例えば、ＡＶケーブルによって音源等再生機１６に接続されており、信号生成部５０によって作成され、音源等再生機１６から伝送されてきた映像信号に従い、対象のカラオケ背景動画を表示することができるようになっている。
【００２１】
また、マイク２４は、音源等再生機１６に接続されており、ユーザーは、このマイク２４を用いることで、スピーカー２０やモニター２２によって出力されるカラオケ楽曲に併せて（ミキシング処理）歌えるように構成されている。なお、マイク２４は、音源等再生機１６に対して、有線或いは無線によって接続されてなるものである。
【００２２】
続いて、本発明に係るカラオケ配信システムの第１の実施形態について、より詳細に説明する。
まず、ユーザーは、本発明に係るカラオケ配信システムを利用して、カラオケを楽しみたい時、携帯型情報端末１４をサーバー機１２に対するクライアントとして機能させるために（クライアント・サーバーシステム）、予め、クライアントソフトウェアＰＧをネットワーク通信部４０等を通じて、サーバー機１２からダウンロードし、携帯型情報端末１４にインストールしておく（図３参照）。
【００２３】
そして、ユーザーは、携帯型情報端末１４において、クライアントソフトウェアＰＧを起動させ、これに表示される任意のコマンド・ラインへ所望のカラオケ楽曲に付された識別コードを入力し、この識別コードを含むデータをネットワーク通信部４０から、携帯電話通信網やインターネットを介して、サーバー機１２に送信する。
【００２４】
なお、サーバー機１２にカラオケ楽曲の楽曲名に対応する識別コードを検索することができるデータベースを備えておけば、例えば、ユーザーがカラオケ楽曲の識別コードが分からない場合、クライアントソフトウェアＰＧ上において、楽曲名を入力し、サーバー機１２に向けて送信すれば、その楽曲名に対応する識別コードが、携帯型情報端末１４に返送するように構成することができ、より利便性が向上する。
【００２５】
識別コードを含むデータを受けたサーバー機１２は、この識別コードに基づいて、図２に示す楽曲データベース３０に格納されたＭＩＤＩデータを取得し、携帯型情報端末１４に向けて、当該ＭＩＤＩデータ送信をする。そして、携帯型情報端末１４は、サーバー機１２から受信したＭＩＤＩデータを内部に備えられているメモリに一時的に記憶するように構成されている（図３参照）。
【００２６】
また、携帯型情報端末１４は、ネットワーク通信部４０が、サーバー機１２に向けて識別コードを含むデータを送信するのと同時に、有線通信部４２を通じて、音源等再生機１６に向けて識別コードを含むデータを送信するようになっている。
【００２７】
そして、識別コードを含むデータを受信した音源等再生機１６は、動画データ処理部５２に、当該識別コードに基づいて、動画メモリ１８に格納されている動画データを読み出させ、当該動画データを有線通信部４２を通じて、携帯型情報端末１４に返送させる（図４参照）。この動画データは、カラオケ背景動画と、カラオケ楽曲の歌詞情報（テロップ）を含めたデータを示している。
【００２８】
次に、ＭＩＤＩデータと動画データを受信した携帯型情報端末１４は、一時的に動画データをメモリに記録するとともに、カラオケデータ作成部４４に対し、メモリに記録したＭＩＤＩデータ及び動画データに基づいたカラオケデータを作成するように処理を行う（図３参照）。
【００２９】
カラオケデータ作成部４４が、カラオケデータを作成を完了すると、携帯型情報端末１４は、当該カラオケデータを有線通信部４２を通じて、音源等再生機１６に向けて送信するように処理を行う。なお、作成したカラオケデータを記録手段に記録させておき、携帯型情報端末１４において、当該記録させたカラオケデータに基づく動画及び音声を再生させるようにすることも可能である。
【００３０】
続いて、カラオケデータを受信した音源等再生機１６は、信号生成部５０に対し、当該カラオケデータに基づいて、音声信号及び映像信号を生成するように処理を行う。なお、音声及び映像の信号は、カラオケデータに基づき、信号生成部５０に備えられた音源ボード及びグラフィックボードによって処理し生成する（図４参照）。
【００３１】
そして、音源等再生機１６は、信号生成部５０によって生成された音声信号を電気的に接続された（例えば、ＡＶケーブルにより接続）スピーカー２０に伝送し、このスピーカー２０が、音声信号に基づいて、カラオケ楽曲の音声を出力する。また、音源等再生機１６は、映像信号を電気的に接続された（例えば、ＡＶケーブルにより接続）モニター２２に伝送し、このモニター２２が、映像信号に基づいて、カラオケ楽曲の映像を出力することになる。なお、モニター２２を図１０に示すように自動車の車内に搭載するカーナビ等の車載モニター７０に代用することで、ユーザーは自動車内でもカラオケに興じることが可能となる。
【００３２】
そして、ユーザーは、音源等再生機１６に有線或いは無線によって接続されているマイク２４を使い、スピーカー２０及びモニター２２によって出力された音声及び映像に合わせて、カラオケに興じることが可能となっている。なお、ユーザーの歌声等は、マイク２４から音声信号として、音源等再生機１６に送信され、信号生成部５０により生成された音声信号にミキシングされる仕組みとなっている。
【００３３】
また、携帯型情報端末１４によって、音源等再生機１６に対し、受信したＭＩＤＩデータや生成した音声信号に対するキーやピッチの変更や、マイクのエコーやディレイの調整、さらに、生成した映像信号に対する動画合成等のエフェクト処理を行うように操作可能とすれば、ユーザーは、好みに応じて設定や調整がされたカラオケ楽曲を楽しむことが可能となる。
【００３４】
次に、本発明に係るカラオケ配信システムの第２の実施形態について、図面を参照しながら説明する。
図５は、本発明に係るカラオケ配信システムの第２の実施形態を示したもので、符号については、２６が音源等処理機を示す以外は、第１の実施形態における符号と同様である。
【００３５】
まず、サーバー機１２には、第１の実施形態におけるサーバー機１２と同様の機能を持たせている（図２参照）。そして、携帯型情報端末１４は、図６に示すように、ネットワークに接続可能なネットワーク通信部４０と、有線通信（例えば、ＵＳＢによる）を介して音源等処理機２６とデータ送受信することができる有線通信部４２が備えられている。なお、ネットワーク通信部４０は、図示しない基地局・交換機等から構成される携帯電話通信網や、インターネット等の電気通信ネットワークを通じて、サーバー機１２との間でデータの送受信が可能となっている。
【００３６】
さらに、携帯型情報端末１４は、動画データとＭＩＤＩデータに基づいてカラオケデータを作成するカラオケデータ作成部４４が備えられており、このカラオケデータ作成部４４は、サーバー機１２からネットワークを通じてダウンロードしたＭＩＤＩデータと、音源等処理機２６から有線通信部４２を通じて取得した、動画データメモリ１８に格納されている動画データに基づいて、カラオケデータを作成することができるようになっている。
【００３７】
なお、カラオケデータとは、第１の実施形態と同様に、カラオケの音楽と、テロップ（歌詞情報）及び動画を同期させたものを意味し、このカラオケデータを一般的なカラオケ装置に送信することによって、ユーザーがカラオケに興じることができる。また、携帯型情報端末１４内に作成した各カラオケデータを記録させる記録手段を設けることにより、携帯型情報端末１４において、当該各カラオケデータに基づく動画及び音声を再生させるようにすることも可能である。
【００３８】
続いて、携帯型情報端末１４は、図６に示すように、カラオケデータに基づいて、音声信号及び映像信号を生成する信号生成部５０がプログラミングされており、カラオケデータに基づいて、音声信号及び動画信号を生成することができるようになっている。なお、携帯型情報端末１４は、例えば、スマートフォンに代表される多種多様なソフトウェア機能を持ち合わせたもので、音声及び動画の信号を生成できるソフトウェアがインストールされているものを用いる。
【００３９】
そして、動画メモリ１８は、図４に示すように、内部にカラオケ背景動画の動画データが格納されており、音源等処理機２６に接続可能となっている。この動画メモリ１８は、例えば、ＭｉｃｒｏＳＤＨＣ（登録商標）などを用いることで、容易に持ち運びが可能となり、さらに大容量の動画データを格納することもできる。
【００４０】
なお、音源等処理機２６内の動画データ処理部５２は、携帯型情報端末１４から送信されてきたＭＩＤＩデータの識別コードを元に、動画メモリ１８に格納されている対象の動画データを取得し、有線通信部４２を通じて携帯型情報端末１４へと当該動画データを返送することができるような仕組みになっている。
【００４１】
続いて、スピーカー２０は、例えば、ＡＶケーブルによって音源等処理機２６に接続されており、携帯型情報端末１４にプログラムとして組み込まれている信号生成部５０によって作成され、音源等処理機２６から伝送されてきた音声信号に従い、対象のカラオケ楽曲を音声出力することができるようになっており、また、モニター２２は、例えば、ＡＶケーブルによって音源等処理機２６に接続されており、携帯型情報端末１４にプログラムとして組み込まれている信号生成部５０によって作成され、音源等処理機２６から伝送されてきた映像信号に従い、対象のカラオケ背景動画を表示することができるようになっている。
【００４２】
また、マイク２４は、音源等処理機２６に接続されており、ユーザーは、このマイク２４を用いることで、スピーカー２０やモニター２２によって出力されるカラオケ楽曲に併せて（ミキシング処理）歌えるように構成されている。なお、マイク２４は、音源等処理機２６に対して、有線或いは無線によって接続されてなるものである。
【００４３】
続いて、本発明に係るカラオケ配信システムの第２の実施形態について、より詳細に説明する。
まず、ユーザーは、本発明に係るカラオケ配信システムを利用して、カラオケを楽しみたい時、第１の実施形態と同様に、携帯型情報端末１４をサーバー機１２に対するクライアントとして機能させるために（クライアント・サーバーシステム）、予め、クライアントソフトウェアＰＧをネットワーク通信部４０等を通じて、サーバー機１２からダウンロードし、携帯型情報端末１４にインストールしておく（図６参照）。
【００４４】
そして、ユーザーは、携帯型情報端末１４において、クライアントソフトウェアＰＧを起動させ、これに表示される任意のコマンド・ラインへ所望のカラオケ楽曲に付された識別コードを入力し、この識別コードを含むデータをネットワーク通信部４０から、携帯電話通信網やインターネットを介して、サーバー機１２に送信する。
【００４５】
識別コードを含むデータを受けたサーバー機１２は、この識別コードに基づいて、楽曲データベース３０に格納されたＭＩＤＩデータを取得し（図２参照）、携帯型情報端末１４に向けて、当該ＭＩＤＩデータ送信をする。そして、携帯型情報端末１４は、サーバー機１２から受信したＭＩＤＩデータを内部に備えられているメモリに一時的に記憶するように構成されている（図６参照）。
【００４６】
また、携帯型情報端末１４は、ネットワーク通信部４０が、サーバー機１２に向けて識別コードを含むデータを送信するのと同時に、有線通信部４２を通じて、音源等処理機２６に向けて識別コードを含むデータを送信するようになっている。
【００４７】
そして、識別コードを含むデータを受信した音源等処理機２６は、動画データ処理部５２に、当該識別コードに基づいて、動画メモリ１８に格納されている動画データを読み出させ、当該動画データを有線通信部４２を通じて、携帯型情報端末１４に返送させる（図７参照）。この動画データは、第１の実施形態と同様に、カラオケ背景動画と、カラオケ楽曲の歌詞情報（テロップ）を含めたデータを示している。
【００４８】
次に、ＭＩＤＩデータと動画データを受信した携帯型情報端末１４は、一時的に動画データをメモリに記録するとともに、カラオケデータ作成部４４に対し、メモリに記録したＭＩＤＩデータ及び動画データに基づいたカラオケデータを作成するように処理を行う（図６参照）。
【００４９】
カラオケデータ作成部４４が、カラオケデータの作成を完了すると、携帯型情報端末１４は、一旦、当該カラオケデータを記録手段に記録させる。そして、携帯型情報端末１４は、内部にプログラミングされている信号生成部５０に対し、当該カラオケデータに基づいて、音声信号及び映像信号を生成するように処理を行う。
【００５０】
次に、携帯型情報端末１４は、生成された音声信号及び映像信号を有線通信部４２を通じて、音源等処理機２６に送信させる。なお、携帯型情報端末１４において、当該記録させたカラオケデータに基づく動画及び音声を再生させるようにすることも可能である。
【００５１】
続いて、音源等処理機２６は、携帯型情報端末１４から受信した音声信号を電気的に接続された（例えば、ＡＶケーブルにより接続）スピーカー２０に伝送し、このスピーカー２０が、音声信号に基づいて、カラオケ楽曲の音声を出力する。また、音源等処理機２６は、映像信号を電気的に接続された（例えば、ＡＶケーブルにより接続）モニター２２に伝送し、このモニター２２が、映像信号に基づいて、カラオケ楽曲の映像を出力することになる。なお、モニター２２を図７に示すように自動車の車内に搭載するカーナビ等の車載モニター７０に代用することで、ユーザーは自動車内でもカラオケに興じることが可能となる。
【００５２】
そして、ユーザーは、音源等処理機２６に有線或いは無線によって接続されているマイク２４を使い、スピーカー２０及びモニター２２によって出力された音声及び映像に合わせて、カラオケに興じることが可能となっている。なお、ユーザーの歌声等は、マイク２４から音声信号として、音源等処理機２６に送信され、その音声信号は、音源等処理機２６内にてミキシング処理されるとともに、スピーカー２０に伝送され、音声出力される仕組みになっている。
【００５３】
また、携帯型情報端末１４によって、音源等処理機２６に対し、受信したＭＩＤＩデータや生成した音声信号に対するキーやピッチの変更や、マイクのエコーやディレイの調整、さらに、生成した映像信号に対する動画合成等のエフェクト処理を行うように操作可能とすれば、ユーザーは、好みに応じて設定や調整がされたカラオケ楽曲を楽しむことが可能となる。
【００５４】
続いて、本発明に係るカラオケ配信システムの第３の実施形態について図面を参照しながら説明する。
本発明に係るカラオケ配信システムの第３の実施形態の概念図は、第１の実施形態（図１参照）と同様であるが、サーバー機１２の構成が、図８に示すように、カラオケ楽曲のＭＩＤＩデータと、ＭＩＤＩデータに対応付けられた識別コードが格納されている楽曲データベース３０の他に、ユーザーの情報を格納するユーザーデータベース３２が備えられている。
【００５５】
このユーザーデータベース３２は、携帯型情報端末１４に予めインストールされたクライアントソフトウェアＰＧにおいて、ユーザーが入力したユーザー情報を携帯電話通信網やインターネットを介して受信し、当該ユーザー情報記録するものである。
【００５６】
また、本実施例においては、図９に示すように、携帯型情報端末１４にインストールされているクライアントソフトウェアＰＧに歌唱採点機能を持たせており、当該歌唱採点機能により算出された採点結果をユーザー情報とともに、ユーザーデータベース３２に記録させるようになっている。
【００５７】
このように、ユーザー情報と採点結果をユーザーデータベース３２に記録しておくことにより、クライアントソフトウェアＰＧを通じて複数の採点結果に基づいたランキングを表示させたりと、単にカラオケを楽しむだけでなく、ゲーム性をも持たせることが可能となるので、よりユーザーにとってより楽しみが深まることになる。
【００５８】
その他、ユーザーデータベース３２に、例えば、ユーザーの電話番号を識別子とし、入会時には一定のポイントを購入することを条件として、会員登録をすることができるよう機能を持たせておけば、カラオケ利用料の支払いが容易なものとなる。また、ポイント購入に代えて、クレジット決済や電子マネー決済などの決済手段によっても、カラオケ利用料を支払うことも可能である。
【産業上の利用可能性】
【００５９】
本発明に係るカラオケ配信システムは、携帯型情報端末を利用することによって、容易にカラオケを楽しむことができるため、あらゆるシーンにおいて、好適に用いることが可能である。
【符号の説明】
【００６０】
１０  カラオケ配信システム
１２  サーバー機
１４  携帯型情報端末
１６  音源等再生機
１８  動画データメモリ
２０  スピーカー
２２  モニター
２４  マイク
２６  音源等処理機
３０  楽曲データベース
３２  ユーザーデータベース
４０  ネットワーク通信部
４２  有線通信部
４４  カラオケデータ作成部
５０  信号生成部
５２  動画データ処理部
【図１】
2012150393.tif 000003
【図２】
2012150393.tif 000004
【図３】
2012150393.tif 000005
【図４】
2012150393.tif 000006
【図５】
2012150393.tif 000007
【図６】
2012150393.tif 000008
【図７】
2012150393.tif 000009
【図８】
2012150393.tif 000010
【図９】
2012150393.tif 000011
【図１０】
2012150393.tif 000012